(57)【要約】【課題】複数の板状体を並設してなる糸案内腕及びセレクターレバー等を有する、糸選択給糸装置において、当該装置内が密閉されることなく当該装置内の空隙部に外気の流入を可能とし該部に編糸より脱落した風綿塵埃等の堆積が生ずることのない装置を得る。【解決手段】糸案内孔に挿通した編糸を、編針の編成位置に対し案内し或いは編成位置から待機位置に退去させる、積層した複数の糸案内腕と、前記各位置に糸案内腕を固定する位置固定手段とを有し、かつ、前記複数の糸案内腕のそれぞれに対位して設けた複数のセレクターレバーを設け、前記、糸案内腕，セレクターレバー，位置固定手段は対に設けたサイドプレート間に渡したバーによりサイドプレート間に支持してなり、該サイドプレートには、内部開放用の窓を設けた。【選択図】図３
0003131807.tif 000002
【実用新案登録請求の範囲】
【請求項１】
糸案内孔に挿通した編糸を、編針の編成位置に対し案内し或いは編成位置から待機位置に退去させる、積層した複数の糸案内腕と、前記各位置に糸案内腕を固定する位置固定手段とを有し、かつ、前記複数の糸案内腕のそれぞれに対位して設けた複数のセレクターレバーを設け、前記、糸案内腕，セレクターレバー，位置固定手段は対に設けたサイドプレート間に渡したバーによりサイドプレート間に支持してなり、該サイドプレートには、内部開放用の窓を設けたことを特徴とする編機における選択給糸装置。
【請求項２】
糸案内腕を案内するため、糸案内腕を挟持するよう設けた糸案内腕案内手段は、糸案内腕をサイドプレートに設けられた窓部に対位する部位以外の部分において支持されるよう設けたことを特徴とする請求項１記載の編機における選択給糸装置。
【考案の詳細な説明】
【技術分野】
【０００１】
本考案は丸編機における給糸装置に関する。
【背景技術】
【０００２】
従来、丸編機において使用されている糸選択案内装置は、給糸する糸の選択に際して、複数の糸案内腕を有し、その内の選択された糸案内腕により所要の糸を給糸位置の編針に案内保持し、編地編成を行わしめると共に、それまで編成を行っていた旧糸を保持する糸案内腕を、待機位置に退避させ給糸を停止する選択給糸装置を複数基、編機シリンダ周囲に配している。
【０００３】
これら選択給糸装置は、複数種の糸を保持するため糸種と等しい数の糸案内腕及び該糸案内腕を編針に向け進出退去或いは位置を固定する位置固定手段等が、各糸ごとに設けられており、かつ、上記糸案内腕及び該糸案内腕を作動する選択手段等はいずれも薄板状をなし、それらは積層状態に重ねられ支持されている（特許文献１参照）。
【０００４】
そのため、各部材間の間隙は極めて少なく、選択給糸装置の内部は外気の気流が妨げられ、編糸から飛散した繊維の堆積が多く装置各部の動作に悪影響を及ぼし、或いは堆積した塵埃の剥落により製品への影響も見られた。
【特許文献１】特開２００４−１３１９０８号
【考案の開示】
【考案が解決しようとする課題】
【０００５】
本考案は、上記の点に鑑みて、複数の板状体を積層してなる糸案内腕及びセレクターレバー等を有する、糸選択給糸装置において、当該装置内が密閉されることなく当該装置内の空隙部に外気の流入を可能とし該部に編糸より脱落した風綿塵埃等の堆積が生ずることのない装置を得ることを目的としている。
【課題を解決するための手段】
【０００６】
請求項１記載の給糸装置は、糸案内孔に挿通した編糸を、編針の編成位置に対し案内し或いは編成位置から待機位置に退去させる、積層した複数の糸案内腕と、前記各位置に糸案内腕を固定する位置固定手段とを有し、かつ、前記複数の糸案内腕のそれぞれに設けた複数のセレクターレバーを設け、前記、糸案内腕，セレクターレバー，位置固定手段は対に設けたサイドプレート間に渡したバーによりサイドプレート間に支持してなり、該サイドプレートには、内部開放用の窓を設けている。
請求項２記載の給糸装置は、請求項１記載の装置において、糸案内腕を案内するため、糸案内腕を挟持するよう設けた糸案内腕案内手段は、糸案内腕をサイドプレートに設けられた窓部に対位する部位以外の部分において支持されるよう設けた。
【考案の効果】
【０００７】
本考案は、糸案内孔に挿通した編糸を、編針の編成位置に対し案内し或いは編成位置から待機位置に退去させる、積層した複数の糸案内腕と、前記各位置に糸案内腕を固定する位置固定手段とを有し、かつ、前記複数の糸案内腕のそれぞれに対位して設けた複数のセレクターレバーを設け、前記、糸案内腕，セレクターレバー，位置固定手段は対に設けたサイドプレート間に渡したバーによりサイドプレート間に支持してなり、該サイドプレートには、内部開放用の窓を設けたものであるために、装置内外の気流の流れが良くなり、糸案内孔を通過する編糸が糸案内部材と接することにより発生する風綿や塵埃等の飛散物が糸案内腕，セレクターレバー等に付着し、更にはその一部が剥落し糸に付着し、編成時編地に付着するが如き不具合を生ずるのをあらかじめ防止することが出来、かつ、装置内部に付着した塵埃等をサイドプレートに設けた内部開放用の窓に清掃用具を挿入するなどして極めて容易にかつ、頻繁に清掃することが出来る。
また、本考案の装置にあっては、内部開放用の窓に近い位置に糸案内腕の案内手段を設けていないために、装置内部への換気の流通を阻止させることがなく、装置内での脱落繊維や塵埃の堆積や付着を防止出来る。
【考案を実施するための最良の形態】
【０００８】
本考案装置の実施の形態を図面と共に次に説明する。
図１乃至図３は本考案給糸装置１を示すもので、図１は側面図、図２はサイドプレート２を取り外した側面図、図３はセレクターレバー３及び糸案内腕４の側面で切断した状態の縦断面図である。給糸装置１は複数の針５を有するシリンダー６の上位に複数設けられている。
【０００９】
給糸装置１は複数のセレクターレバー３を積層状態に摺動嵌合する複数のセレクターレバー溝７を有するブロックよりなるセレクターレバーガイド８と、先端に糸案内孔９を有する複数の板状体を糸案内孔９方向に進退動可能に後述する案内部材４２により支持してなる糸案内腕４と、前記糸案内腕４の進退動端部においける妄動を阻止する位置固定手段１０と、固定刃１１，可動刃１２，糸押えプレート１３を重ねてなる複数組をセパレーター１４の溝１４ａ内に摺動自在に嵌合して支持した糸端切断把持部材１５をサイドプレート２，２間に配している。
【００１０】
セレクターレバー３及びその支持案内装置であるセレクターレバーガイド８について説明する。
セレクターレバー３は複数枚、図示の例では６枚が積層状に対のサイドプレート２，２間に設けた軸１６に揺動自在に支持され、中央側面に設けたピン１７と、サイドプレート２，２間に設けたスプリング端部支持杆１８との間に軸１６を巻回してスプリング１９を架け渡し、セレクターレバー３が軸１６を中心に反時計針方向に旋回するよう付勢して支持する。板状のセレクターレバー３は上記手段による支持により揺動端部はセレクターレバーガイド８のセレクターレバー溝７内に挿入される。
【００１１】
セレクターレバー３はおおよそ、く字状に屈曲し、屈曲部の中央部には後述する糸案内腕４の上部バット２０と当接する下向きの中央突出部２１を設ける。１枚のセレクターレバー３の上縁には、複数のセレクターバット２２を突出させている。そして、その内の所定のセレクターバットを１本残し他は切除することで、１つのセレクターレバーガイド８に挿入される複数のセレクターレバー３のそれぞれが異なった位置にバット２２を突出するように配置する。
【００１２】
セレクターバット２２の上位にはアクチエーター２３を設ける。アクチエーター２３は丸編機における回転と同期回転するように支持されている。アクチエーター２３は、その下部に揺動爪２４を設け各爪２４は複数のセレクターレバー４のそれぞれのバット２２に対位し、アクチエーター２３の作動時に揺動爪２４が先端を垂直に位置させると、それと対位するセレクターレバー３のバット２２と当接し該バット２２を押し下げ、図３においてセレクターレバー３は、軸１６を中心に時計針方向に旋回する。
【００１３】
セレクターレバー３の下位には、セレクターレバー３と対の糸案内腕４を、サイドプレート２，２間に渡したガイドレバー２５，２６により支持している。ガイドバー２５と糸案内腕４の基部に設けたＭ形ガイド溝２７とを、また糸案内腕４の中央付近に設けたＶ字形ガイド溝２８とガイドレバー２６とをそれぞれ摺動自在に嵌合することによって糸案内腕４を図２，３において左右方向に進退動出来るように支持すると共に、スプリング支持杆２９，３０によって支持されたスプリング３１の端部を糸案内腕４の下縁に当接することで同腕４がガイドバー２６を中心にし、図３において反時計針方向に旋回することが出来るよう付勢している。糸案内腕４の下縁には、位置決め用凹部３２，３３、下部バット３４を設けている。複数の糸案内腕４は、案内板４２を間隙を有して並列積層しボルト４３によりサイドプレート２，２の間に支持してなる糸案内腕案内手段４２ａの前記間隙内に摺動自在に支持されている。４４は糸案内腕４より若干厚い厚さのスペーサーである。案内板４２は、糸案内腕４のほぼ半分のＭ形ガイド溝２７の部分を被う程度の長さとし、サイドプレート２，２に設けた窓部２ａにはかからないようにし、窓部２ａの開放を阻止しないようにしている。糸案内腕４の下バット３４が下方に突出した際、それと当接する位置には出しカム３５と、戻しカム３６を設けてある。
【００１４】
セレクターレバー３と糸案内腕４との間には糸案内腕４の妄動を阻止する位置固定手段１０を設けている。位置固定手段１０は、セレクターレバーガイド８に設けた支持軸３８，３９のそれぞれに揺動自在にロックレバー４０，４１を支持し、各レバー４０，４１先端間にスプリング３７を張り渡し、両レバー４０，４１先端が接近するよう付勢し、両レバー４０，４１の先端間に位置する糸案内腕４の上部バット２０の基部がいずれか一方のレバー４０，４１の先端に接するように配されている。
【００１５】
各糸案内腕４に添って、糸案内腕４が案内した糸を休止時に切断保持するための固定刃１１，動刃１２よりなるカッター及び糸押えプレート１３を積層状態に重ねている。固定刃１１，動刃１２，糸押えプレート１３の先端にはそれぞれフック４５，４６，４７が設けられている。フック４５の外側には切断刃４５ａが、フック４６の内側には切断刃４６ａがそれぞれ設けられている。固定刃１１及び糸押えプレート１３はサイドプレート２，２間に設けたバー４８，４９によって固定状態に支持し、その間に可動刃１２がバー４８により摺動自在に積層状態に設けてある。可動刃１２の端部はスプリング支持杆２９，３０に支持されたスペーサ５０の溝に嵌合することによって案内されている。
【００１６】
次に本考案装置の作用につき説明する。
給糸装置１が給糸を全く行っていないときは、セレクターレバー３はスプリング１９の付勢により上縁を上昇しバット２２を突出している。そして、糸案内腕４は後退した状態のもとでスプリング３１により上方に付勢され下バット３４を給糸装置１内に引き込んでいる。そして回転して来たアクチエーター２３が当該給糸装置１に対したとき当該給糸装置１の持つ糸を給糸する必要があればアクチエーター２３を作動し、所定の揺動爪２４を揺動しバット２２に当接させる。バット２２はそれにより押し込まれ、セレクターレバー３は先端３ａを下向動させ糸案内腕４の上バット２０と当接し、糸案内腕４をスプリング３１の力に抗して下バット３４を給糸装置１の下面より突出させる。これにより下バット３４は出しカム３５の軌跡内に入り、編機の回転につれ出しカム３５により押され図６に示す如く出しカム３５の斜面３５ａに従って下バット３４は移動し、糸案内腕４は図で左方向に移動し状態となる。即ち、ガイドバー２６と嵌合しているＶ字形ガイド溝２８はＶ字の底部でガイドバー２６と嵌合する位置となるため糸案内腕４の糸案内孔９は上昇し水平動し、この間に編機シリンダー６に保持されている編針５の頂部を越えることになる。
【００１７】
次いで、図６に示す出しカム３５の頂部付近まで糸案内腕４の下バット３４が達し、糸案内腕４の上部バット２０の基部側面２０ａとロックレバー４１の先端の突部が当接し、ロックレバー４１はそのまま時計針方向に旋回する。糸案内腕４の下バット３４が出しカム３５の頂部に至ったときに糸案内腕４はガイドバー２５，２６に案内されて図３左方向に最進出し、かつ、糸案内腕４はスプリング３１の付勢力によってガイドバー２６を中心に旋回動しガイドバー２５とＭ形ガイド溝２７の腕部下位とを嵌合させ、糸案内腕４の後端部を上昇することによって下部バット３４を給糸装置１内に引き込む。同時に糸案内腕４先端の導糸案内孔９は若干下降し針５への給糸位置に静止する。この際、前記糸案内腕４の進出（図３における左行）につれて糸案内腕４の側面に設けられたピン４ａが動刃１２の上縁の凹部前壁１２ａと接し、糸案内腕４の進出と共に動刃１２も進出する。
【００１８】
上記糸案内腕４による給糸が所定コース進んで次に糸の切り換えが行われる。この糸の切り換えは、１つの給糸装置１が持つ第１の糸の給糸を止め、第２の糸の給糸を行うことに相当する。従って、アクチエーター２３によるタイミングを一致させた操作により給糸の供給停止と新糸の投入を同時に行うことになる。但し、新旧両糸は後述する如く若干ウエールについて引き揃えて給糸されることになる。然し、アクチエーター２３の作動は極く短時間であるためバット２２の押圧は長くは続かず、直ちにセレクターレバー３は元の位置に戻る。
【００１９】
それまで給糸されていた糸（旧糸と云う）を停止するには次の如くして行なう。糸案内腕４が進出し給糸が行われていたときにアクチエーター２３を作動してアクチエーター２３の揺動爪２４でセレクターレバー３のバット２２を押し込むとセレクターレバー３は、図３において一点鎖線で示す如く軸１６を中心に時計針方向に旋回動し中央突出部２１で糸案内腕４の上部バット２０を押す。然しアクチエーター２３の作動時間は極く短時間であるため、上部バット２０の押圧は長くは続かず直ちにセレクターレバー３はスプリング１９の弾発力で元の位置に戻るが、前記糸案内腕４の上部バット２０の押圧で糸案内腕４はガイドバー２６を中心に時計針方向に旋回し、ロックレバー４１はスプリング３７に引かれて反時計針方向に旋回し頂部平坦部４１ａを上部バット２０の肩部２０ａに当接し、セレクターレバー３の原位置復帰による中央突出部２１の押圧が解放されても糸案内腕４はスプリング３１の弾発力を受けても下部バット３４を給糸装置１内に入れることなく、突出した静止の状態を保つようロック状態を呈している。
【００２０】
この動作によって旧糸を保持する糸案内腕４はガイドバー２５を中心にして時計針方向に旋回動し下バット３４を給糸装置１外に突出している。そのために図６に示すように旧糸を保持する糸案内腕の下バット３４ａは戻しカム３６と当接し引き下げられる。前記戻しカム３６により糸案内腕４の引き戻しが開始されると、上部バット２０の肩部２０ａも右方に移動するためロックレバー４１の平坦部及び突部は肩部２０ａから外れロックは解舒される。然しＭ形ガイド溝２７の形状とガイドバー２５との関係で下バット３４は糸案内腕４が最も引き戻されＭ形ガイド溝２７の端部の凹嵌部２７ａにガイドバー２５が入るまでは給糸装置１の下部に突出している。戻しカム３６とバット３４ａとの係合が外れるとき、給糸装置１内にあっては、糸案内腕４は、スプリング１９の弾発力によって上方に押され、かつ、Ｍ形ガイド溝２７の端部凹部２７ａとガイドバー２５とが嵌合することによって糸案内腕４の後端部が上方に旋回し下バット３４が給糸装置１内に入り込み図１に示す状態となる。
【００２１】
上記の糸案内腕４の後退時に糸案内腕４のピン４ａは、前方に突出しフック４６を開いている動刃１２の上縁に設けた凹部の後壁１２ｂと係合し糸案内腕４の後退につれピン４ａを介して動刃１２のフック４６を後退させる。これに先立つ糸案内腕４の後退で、前記糸案内腕４のピン４ａと動刃１２の凹部側壁１２ｂが当接したタイミング的には、糸案内腕４の糸ガイド孔４ｂと動刃１２のフック４６との位置が一致する為、糸ガイド孔４ｂが案内している糸はフック４６内に入ることになり、続く糸案内腕４の後退による一層の動刃１２の後退で糸は動刃１２の刃４６ａと固定刃１１の刃４５ａとにより糸は切断されると共に糸端は動刃１２のフック４６と糸押えプレート１３のフック４７との間に挾持される形で保持される。
【００２２】
編成糸切換時に編成休止糸と新規に編成を開始する糸とが若干ウエールについて同時に編成が行われる。即ち、アクチエーター２３が新旧両糸のセレクターレバー３，３について同時に揺動爪２４，２４を作動させることによって、両糸のセレクターレバー３，３が同時に新旧両糸の案内腕４，４の下バット３４，３４ａ（３４ａは図６に図示）を出しても編機の回転方向で先行する位置にある出しカム３５が先ず新規の糸の糸案内腕４の下バット３４と当接し、該下バット３４を斜面３５ａに添って上昇し、出しカム３５の頂部に至った時前述の如き作用で下バット３４は給糸装置１内にかくれ、続く戻しカム３６には当接しない。次いで後続する位置にある戻しカム３６が給糸を停止する糸の糸案内腕の下バット３４ａに作用するから図６に示すＬの間だけ両糸が給糸されることになる。
【００２３】
上記の糸切り換えが行われる都度積層されたセレクターレバー及びそれと対をなす糸案内腕が選択され、セレクターレバーの揺動運動，糸案内腕の摺動運動などが行われ、更には編糸を切断し糸端を保持する操作が行われるなどのため、編糸を構成する繊維の脱落等が極めて多く、給糸装置内部は、それら飛散繊維等の密度が極めて高い。本考案装置ではセレクターレバー，糸案内腕，糸切断保持部材を囲う給糸装置サイドプレートに内部開放用の窓を設けることにより、装置内部の飛散繊維等の堆積を防ぐと共に、メンテナンス時などには、内部の塵埃等を容易に吸引除去するようにしている。
【図面の簡単な説明】
【００２４】
【図１】本考案装置の側面図。
【図２】サイドプレートを取り外した側面図。
【図３】セレクターレバー及び糸案内腕の側面で切断した状態の縦断側面図。
【図４】Ａは固定刃の側面図、Ｂは動刃の側面図、Ｃは糸押えプレートの側面図、Ｄは糸切断保持部材のセパレーターの側面図、Ｅは同正面図、Ｆはセレクターレバーの側面図、Ｇは糸案内腕の側面図、Ｈ，Ｉはスペーサーの側面図。
【図５】Ａはセレクターレバーガイドの断面図、Ｂは同底面図。
【図６】糸案内腕を進出退去させる出しカムと戻しカムの配置図。
【符号の説明】
【００２５】
１  給糸装置
２  サイドプレート
２ａ  窓部
３  セレクターレバー
４  糸案内腕
５  針
６  シリンダー
８  セレクターレバーガイド
９  糸案内孔
１０  位置固定手段
１１  固定刃
１２  動刃
１３  糸押えプレート
１４  セパレーター
１６  軸
２０  上部バット
３８，３９  支持軸
４０，４１  ロックレバー
４２  案内板
４２ａ  糸案内腕案内手段
【図１】
0003131807.tif 000003
【図２】
0003131807.tif 000004
【図３】
0003131807.tif 000005
【図４】
0003131807.tif 000006
【図５】
0003131807.tif 000007
【図６】
0003131807.tif 000008